(57)【特許請求の範囲】
【請求項１】
異なる極性の電極が互いに絶縁された状態で交互に積層された電極組立体と、
ケース本体と前記ケース本体に接合されている蓋とを有し、前記電極組立体が収容されたケースと、
前記電極の端部から突出したタブと電気的に接続された導電部材と、
前記導電部材と電気的に接続された電極端子と、
前記タブと前記導電部材との接続部分と前記ケースとを絶縁する絶縁カバーと、
前記電極組立体の積層方向と直交する方向に沿って延びる一方の面から他方の面に亘って貼り付けられた保持テープと、を備え、
前記絶縁カバーは、前記ケース本体と前記蓋との接合部側に位置し、
前記絶縁カバーが対向する前記電極組立体の面には、前記絶縁カバーに対向するカバー対向領域が投影され、当該カバー対向領域と重ならない部分に前記保持テープが位置している蓄電装置。
【請求項２】
前記電極組立体の面には、前記電極端子に対向する端子対向領域が投影され、当該端子対向領域と重なる部分に、前記保持テープの少なくとも一部が位置している請求項１に記載の蓄電装置。
【請求項３】
前記電極組立体の面において前記保持テープは、当該面の端に位置している請求項１又は請求項２に記載の蓄電装置。
【請求項４】
前記保持テープは、前記電極の積層方向に掛けて貼り付けられており、
前記保持テープの前記積層方向に沿う端部は、前記絶縁カバーの端部よりも外側に位置している請求項１〜請求項３のうちいずれか一項に記載の蓄電装置。
【請求項５】
前記蓄電装置は、二次電池である請求項１〜請求項４のうちいずれか一項に記載の蓄電装置。
【発明の詳細な説明】
【技術分野】
【０００１】
本発明は、保持テープが貼り付けられた電極組立体を有する蓄電装置に関する。
【背景技術】
【０００２】
ＥＶ（Electric Vehicle）やＰＨＶ（Plug in Hybrid Vehicle）などの車両には、原動機となる電動機への供給電力を蓄える蓄電装置としてリチウムイオン電池などの二次電池が搭載されている。二次電池は、正極電極及び負極電極を有する電極組立体と、この電極組立体を収容したケースと、正極及び負極の電極端子と、を有し、各極性の電極端子と電極組立体とが電気的に接続されている。そして、シート状の正極電極と負極電極とを積層した電極組立体には、電極の積層方向に電極組立体を保持する複数の保持テープが貼り付けられている（例えば、特許文献１参照）。
【先行技術文献】
【特許文献】
【０００３】
【特許文献１】特開２０１３−４８０５４号公報
【発明の概要】
【発明が解決しようとする課題】
【０００４】
電極組立体を収容するケースは、一方に開口した有底箱状のケース本体と、ケース本体の開口部分を塞ぐ平板状の蓋とを備えている。そして、電極組立体をケースに収容する際には、ケース本体の開口部分から電極組立体を挿入し、その後に開口部分を閉塞するように蓋を閉じる。この際、ケースは、ケース本体と蓋とが溶接によって接合されることにより、密閉された状態となる。
【０００５】
このため、ケース内には、接合時などに発生した異物が残存している可能性があり、その異物が例えば振動などによって落下すると、電極組立体の内部に入り込むことが考えられる。電極組立体に入り込んだ異物は、極性の異なる電極を短絡させる要因となり得る。
【０００６】
この発明は、このような従来の技術に存在する問題点に着目してなされたものであり、その目的は、電極組立体への異物の入り込みを抑制し得る蓄電装置を提供することにある。
【課題を解決するための手段】
【０００７】
上記問題点を解決するための蓄電装置は、異なる極性の電極が互いに絶縁された状態で交互に積層された電極組立体と、ケース本体と前記ケース本体に接合されている蓋とを有し、前記電極組立体が収容されたケースと、前記電極の端部から突出したタブと電気的に接続された導電部材と、前記導電部材と電気的に接続された電極端子と、前記タブと前記導電部材との接続部分と前記ケースとを絶縁する絶縁カバーと、前記電極組立体の積層方向と直交する方向に沿って延びる一方の面から他方の面に亘って貼り付けられた保持テープと、を備え、前記絶縁カバーは、前記ケース本体と前記蓋との接合部側に位置し、前記絶縁カバーが対向する前記電極組立体の面には、前記絶縁カバーに対向するカバー対向領域が投影され、当該カバー対向領域と重ならない部分に前記保持テープが位置している。これによれば、ケース本体と蓋とを接合する際に発生し、ケース内に残存した異物が落下した場合でも、その異物は絶縁カバーや保持テープに落下することになる。このため、タブが突出した電極組立体の面に異物が入り込むことを抑制できる。
【０００８】
上記蓄電装置において、前記電極組立体の面には、前記電極端子に対向する端子対向領域が投影され、当該端子対向領域と重なる部分に、前記保持テープの少なくとも一部が位置していることが好ましい。これによれば、電極端子の直下に位置する隙間などからの異物の入り込みを抑制できる。
【０００９】
上記蓄電装置において、前記保持テープは、前記電極組立体の面の端に位置していることが好ましい。これによれば、保持テープによって異物の入り込みを抑制しつつ、電極組立体を良好に保持できる。
【００１０】
上記蓄電装置において、前記保持テープは、前記電極の積層方向に掛けて貼り付けられており、前記保持テープの前記積層方向に沿う端部は、前記絶縁カバーの端部よりも外側に位置していることが好ましい。これによれば、絶縁カバーと保持テープの重なりをなくし、電極組立体の面において露出している部分を保持テープによって効率的に覆うことができる。
【００１１】
上記蓄電装置において、前記蓄電装置の好適な例としては、二次電池を挙げることができる。
【発明の効果】
【００１２】
本発明によれば、電極組立体への異物の入り込みを抑制できる。
【図面の簡単な説明】
【００１３】
【図１】二次電池を示す斜視図。
【図２】電極組立体の分解斜視図。
【図３】二次電池の分解斜視図。
【図４】二次電池の内部を示す一部断面図。
【図５】電極組立体の上面を示す平面図。
【発明を実施するための形態】
【００１４】
以下、蓄電装置を二次電池に具体化した実施形態について図１〜図５を用いて説明する。
図１に示すように、蓄電装置としての二次電池１０は、ケース１１を備えている。ケース１１は、一方に開口した有底箱状のケース本体１２と、ケース本体１２の開口部分を塞ぐ平板状の蓋１３とを備えている。ケース本体１２と蓋１３とは、接合部Ｓによって接合されている。ケース本体１２と蓋１３とは、溶接によって接合されている。
【００１５】
ケース１１は、四角箱状であり、長辺と短辺を有する矩形平板状の底壁１２ａと、底壁１２ａの四辺から立設された複数の側壁と、を有する。底壁１２ａは、ケース本体１２の開口部分を塞ぐ蓋１３と対向する。複数の側壁は、底壁１２ａの四辺において短辺に立設されるとともに対向する２つの短側壁１２ｂ，１２ｃと、底壁１２ａの四辺において長辺に立設されるとともに対向する２つの長側壁１２ｄ，１２ｅと、からなる。長側壁１２ｄ，１２ｅは、短側壁１２ｂ，１２ｃよりも面積が大きい。この実施形態の二次電池１０は、その外観が角型をなす角型電池である。
【００１６】
二次電池１０のケース１１には、電極組立体１４及び電解液（図示略）が収容されている。また、二次電池１０は、電極端子としての正極端子１５及び負極端子１６を備える。正極端子１５及び負極端子１６は、ケース１１の壁部としての蓋１３に締結され、固定されている。また、正極端子１５及び負極端子１６は、一部がケース１１の内部に位置し、一部がケース１１から外部に突出している。なお、本実施形態の二次電池１０は、例えばリチウムイオン電池である。
【００１７】
図２に示すように、電極組立体１４は、異なる極性の電極としての正極電極２１と負極電極２２とを、間にセパレータ２３を介在させて交互に積層した構造である。負極電極２２と正極電極２１との間は、セパレータ２３によって絶縁されている。なお、正極電極２１と、負極電極２２と、セパレータ２３とを積層した方向を電極組立体１４の積層方向とする。
【００１８】
正極電極２１、負極電極２２、及びセパレータ２３は、短辺及び長辺を有する長方形状のシートである。正極電極２１は、長方形状の正極金属箔（例えばアルミニウム箔）２１ａと、当該正極金属箔２１ａの両面にある正極活物質層２１ｂと、を有する。負極電極２２は、長方形状の負極金属箔（例えば銅箔）２２ａと、当該負極金属箔２２ａの両面にある負極活物質層２２ｂと、を有する。
【００１９】
正極電極２１は、当該正極電極２１の端部２１ｃから突出した形状の正極タブ３１を有する。同様に、負極電極２２は、当該負極電極２２の端部２２ｃから突出した形状の負極タブ３２を有する。正極電極２１と負極電極２２は、各タブ３１，３２の同一極性同士が列状に配置されるように積層されている。
【００２０】
図３及び図４に示すように、この実施形態の電極組立体１４は、正極電極２１と、負極電極２２と、セパレータ２３と、を積層することにより、直方体状に構成されている。電極組立体１４は、積層方向の両端に第１平面１４ａと第１平面１４ａに対向する第２平面１４ｂを有する。第１平面１４ａと第２平面１４ｂには、積層方向から見て正極活物質層２１ｂと負極活物質層２２ｂとが対向する対向領域が投影される。また、電極組立体１４は、第１平面１４ａと第２平面１４ｂを囲む四つの面のうち、その一つの面にタブ側端面１４ｃを備える。また、電極組立体１４は、前記四つの面のうち、その一つの面に底面１４ｄ（図４に示す）を備え、底面１４ｄはタブ側端面１４ｃに対向する。また、電極組立体１４は、前記四つの面のうち、残りの二つの面に側面１４ｅ，１４ｆを備える。
【００２１】
電極組立体１４の各面は、電極組立体１４をケース１１に収容した状態においてケース１１を構成する各壁に面する。具体的に言えば、第１平面１４ａ及び第２平面１４ｂは、ケース本体１２の長側壁１２ｄ，１２ｅに面する。タブ側端面１４ｃは、蓋１３に面する。底面１４ｄは、ケース本体１２の底壁１２ａに面する。側面１４ｅ，１４ｆは、ケース本体１２の短側壁１２ｂ，１２ｃに面する。
【００２２】
図３に示すように、各負極タブ３２は、電極組立体１４における積層方向の一方に寄せて集められた状態で他方に折り返されている。同様に、各正極タブ３１は、電極組立体１４における積層方向の一方に寄せて集められた状態で他方に折り返されている。各正極タブ３１及び各負極タブ３２は、電極組立体１４のタブ側端面１４ｃから突出し、電極組立体１４のタブ側端面１４ｃから蓋１３に向けて突出している。
【００２３】
図３及び図４に示すように、二次電池１０は、正極タブ３１と正極端子１５とを電気的に接続する導電部材としての正極導電部材４０を備える。正極導電部材４０は、一枚の金属板（本実施形態ではアルミニウム板）で構成されている。アルミニウム板は、箔状であることが望ましい。正極導電部材４０は、ケース１１の蓋１３と電極組立体１４との間に存在し、正極タブ３１及び正極端子１５の双方に接合されている。
【００２４】
正極導電部材４０は、相対的に蓋１３寄りに配置された正極第１接合部４１と、正極第１接合部４１よりも電極組立体１４に近い位置に配置された正極第２接合部４２と、正極第１接合部４１と正極第２接合部４２とを繋ぐ湾曲状の正極第３接合部４３と、を有する。正極第１接合部４１において、電極組立体１４のタブ側端面１４ｃと対向した面（下面）には各正極タブ３１が溶接され、正極第１接合部４１と各正極タブ３１とが電気的に接続されている。正極導電部材４０の正極第１接合部４１は、正極タブ３１との接続部分となる。
【００２５】
正極端子１５は、角柱状の正極頭部５１と、正極頭部５１の座面から突出し、かつ外周面にねじ溝を有する正極軸部５２とを備えている。正極軸部５２は、蓋１３に有る貫通孔１３ｂを介してケース１１外に突出している。正極軸部５２は、絶縁性のＯリング５３に挿通されている。また、正極軸部５２はフランジ付きリング５４に挿通されている。フランジ付きリング５４は、貫通孔１３ｂに嵌合する筒状である。
【００２６】
正極軸部５２には、フランジ付きリング５４の上からナット５５が螺合されており、正極端子１５と蓋１３とはユニット化されている。なお、フランジ付きリング５４は、正極軸部５２と蓋１３の貫通孔１３ｂの周縁部との間、及びナット５５と蓋１３との間に介在している。
【００２７】
正極頭部５１は、ケース１１内に配置されている。正極頭部５１における電極組立体１４側の面には正極導電部材４０の正極第２接合部４２が溶接されている。これにより、正極導電部材４０と正極端子１５とが電気的に接続されている。
【００２８】
二次電池１０は、正極頭部５１の一部を覆う絶縁性の第１正極絶縁部材５７と、正極導電部材４０と電極組立体１４との間に介在する絶縁性の第２正極絶縁部材５８とを備えている。第１正極絶縁部材５７は、蓋１３と正極頭部５１との接触を規制するものであり、正極頭部５１に対して蓋１３側から取り付けられている。第１正極絶縁部材５７は、正極頭部５１の座面及び外周面の一部を覆っている。第２正極絶縁部材５８は、正極導電部材４０と電極組立体１４との接触を規制するものである。
【００２９】
図３及び図４に示すように、二次電池１０は、負極タブ３２と負極端子１６とを電気的に接続する導電部材としての負極導電部材６０を備える。負極導電部材６０は、一枚の金属板（本実施形態では銅板）で構成されている。銅板は、箔状であることが望ましい。負極導電部材６０は、ケース１１の蓋１３と電極組立体１４との間に存在する。
【００３０】
負極導電部材６０は、相対的に蓋１３寄りに配置された負極第１接合部６１を有する。また、図４に示すように、負極導電部材６０は、負極第１接合部６１よりも電極組立体１４に近い位置に配置された負極第２接合部６２と、負極第１接合部６１と負極第２接合部６２とを繋ぐ湾曲状の負極第３接合部６３と、を有する。負極第１接合部６１において、電極組立体１４のタブ側端面１４ｃと対向した面（下面）には各負極タブ３２が溶接され、負極第１接合部６１と各負極タブ３２とが電気的に接続されている。負極導電部材６０の負極第１接合部６１は、負極タブ３２との接続部分となる。
【００３１】
負極端子１６は、角柱状の負極頭部７１と、負極頭部７１の座面から突出し、かつ外周面にねじ溝を有する負極軸部７２を備える。負極軸部７２は、蓋１３に有る貫通孔１３ｂを介してケース１１外に突出している。負極軸部７２は、絶縁性のＯリング７３に挿通されている。また、負極軸部７２は、絶縁性のフランジ付きリング７４に挿通されている。フランジ付きリング７４は、貫通孔１３ｂに嵌合する筒状である。
【００３２】
負極軸部７２には、フランジ付きリング７４の上からナット７５が螺合されており、負極端子１６と蓋１３とがユニット化されている。なお、フランジ付きリング７４は、負極軸部７２と蓋１３の貫通孔１３ｂの周縁部との間、及びナット７５と蓋１３との間に介在している。
【００３３】
二次電池１０は、一方の極性の電極端子である負極端子１６と電極組立体１４との通電経路上に設けられた電流遮断部材８０を備える。なお、一方の極性の電極端子（負極端子１６）と接続された導電部材は負極導電部材６０である。電流遮断部材８０は、ケース内に発生したガスによって作動する作動部材である。
【００３４】
また、二次電池１０は、負極頭部７１の座面及び外周面を覆う絶縁性の負極絶縁部材８７と、負極頭部７１と、電流遮断部材８０と、をユニット化するカシメ部材８８を備えている。負極絶縁部材８７は、蓋１３と負極頭部７１との接触を規制するものであり、負極頭部７１に対して蓋１３側から取り付けられている。
【００３５】
また、二次電池１０のケース１１には、図１、図３及び図５に示すように圧力開放弁９０が設けられている。この実施形態の圧力開放弁９０は、ケース１１の蓋１３に位置している。圧力開放弁９０は、蓋１３の板厚よりも薄い薄板状の弁体９１を有する。弁体９１は、蓋１３の上面に凹設された凹部の底に位置しており、蓋１３と一体的に成形されている。また、弁体９１の表面には、交差状の開裂溝９２を有する。圧力開放弁９０は、ケース１１内に発生したガスからの圧力を受圧する。そして、圧力開放弁９０は、ケース１１内の圧力が設定圧力を超えたときに開裂溝９２の交差部を起点として開裂することにより、ケース１１内の圧力をケース外に開放させる。
【００３６】
また、図１、図３及び図５に示すように、二次電池１０は、正極第１接合部４１及び負極第１接合部６１と、蓋１３との間に配置される絶縁カバー１００を備えている。絶縁カバー１００は、ケース本体１２に電極組立体１４を収容し、蓋１３を接合した状態において、接合部Ｓ側に位置する。また、絶縁カバー１００は、配置した状態において、電極組立体１４の面であるタブ側端面１４ｃに対向する。絶縁カバー１００は、例えば樹脂などで構成されている。絶縁カバー１００は、長方形の板状の本体部１０１と、当該本体部１０１の短手方向の端部から下方に起立した起立部１０２と、を有している。また、絶縁カバー１００の本体部１０１には、圧力開放弁９０と対向する部位に連通孔１０３が穿設されている。図４に示すように、圧力開放弁９０と連通孔１０３は、正極タブ３１と負極タブ３２との間に位置することで、ケース１１内に発生したガスは連通孔１０３を介して圧力開放弁９０へ流れる。
【００３７】
また、電極組立体１４には、図３及び図４に示すように、複数の保持テープｔ１，ｔ２，ｔ３，ｔ４，ｔ５，ｔ６が貼り付けられている。各保持テープｔ１〜ｔ６は、正極電極２１及び負極電極２２の積層方向に電極組立体１４を保持する。保持テープｔ１，ｔ２は、第１平面１４ａ、タブ側端面１４ｃ、第２平面１４ｂに掛けて貼り付けられている。保持テープｔ１，ｔ２は、第１平面１４ａ及び第２平面１４ｂの各長辺に沿う方向に、所定の間隔をおいて貼り付けられている。なお、第１平面１４ａ及び第２平面１４ｂの各長辺に沿う方向は、タブ側端面１４ｃの長辺に沿う方向と一致する。また、保持テープｔ３，ｔ４は、第１平面１４ａ、側面１４ｅ、第２平面１４ｂに掛けて貼り付けられている。保持テープｔ５，ｔ６は、第１平面１４ａ、側面１４ｆ、第２平面１４ｂに掛けて貼り付けられている。保持テープｔ３〜ｔ６は、第１平面１４ａ及び第２平面１４ｂの各短辺に沿う方向に、所定の間隔をおいて貼り付けられている。保持テープｔ１〜ｔ６は、電極組立体１４の積層方向と直交する方向に沿って延びる一方の面（第１平面１４ａ）から他方の面（第２平面１４ｂ）に亘って貼り付けられている。
【００３８】
図５に示すように、電極組立体１４がケース１１に収容され、かつ絶縁カバー１００が配置された状態において電極組立体１４のタブ側端面１４ｃには、絶縁カバー１００に対向するカバー対向領域ｄ１を投影できる。また、図５に示すように、電極組立体１４がケース１１に収容された状態において電極組立体１４のタブ側端面１４ｃには、正極端子１５や負極端子１６に対向する端子対向領域ｄ２，ｄ３を投影できる。このため、この実施形態では、電極組立体１４のタブ側端面１４ｃが、絶縁カバー１００、正極端子１５並びに負極端子１６と対向する部分を有する面となる。
【００３９】
この実施形態では、タブ側端面１４ｃにおいて上記したカバー対向領域ｄ１と重ならない部分を、保持テープｔ１，ｔ２の貼り付け位置としている。また、この実施形態において保持テープｔ１，ｔ２は、上記した端子対向領域ｄ２，ｄ３に重なる部分をそれぞれの貼り付け位置としている。これにより、保持テープｔ１は、正極端子１５の直下に位置するように貼り付けられている。また、保持テープｔ２は、負極端子１６の直下に位置するように貼り付けられている。
【００４０】
保持テープｔ１は、電極組立体１４の積層方向に掛けて貼り付けられている。そして、保持テープｔ１は、積層方向に沿う一方の端部ｔ１ａがタブ側端面１４ｃの端に沿うように位置し、積層方向に沿う他方の端部ｔ１ｂが絶縁カバー１００の一方の端部１０１ａよりも外側に位置するように貼り付けられている。タブ側端面１４ｃの端は、タブ側端面１４ｃと側面１４ｆとが交差する角部に位置する部位である。また、絶縁カバー１００の端部１０１ａよりも外側は、タブ側端面１４ｃと側面１４ｆとが交差する角部寄り、すなわちケース本体１２の短側壁１２ｃ寄りに位置する部位である。これにより、保持テープｔ１は、タブ側端面１４ｃの端に寄って位置している。
【００４１】
また、保持テープｔ２は、電極組立体１４の積層方向に掛けて貼り付けられている。そして、保持テープｔ２は、積層方向に沿う一方の端部ｔ２ａがタブ側端面１４ｃの端に沿うように位置し、積層方向に沿う他方の端部ｔ２ｂが絶縁カバー１００の他方の端部１０１ｂよりも外側に位置するように貼り付けられている。タブ側端面１４ｃの端は、タブ側端面１４ｃと側面１４ｅとが交差する角部に位置する部位である。また、絶縁カバー１００の端部１０１ｂよりも外側は、タブ側端面１４ｃと側面１４ｅとが交差する角部寄り、すなわちケース本体１２の短側壁１２ｂ寄りに位置する部位である。これにより、保持テープｔ２は、タブ側端面１４ｃの端に寄って位置している。
【００４２】
保持テープｔ１，ｔ２は、同一若しくはほぼ同一の幅のテープである。保持テープｔ１，ｔ２の幅は、図４及び図５に示すように、第１平面１４ａ並びに第２平面１４ｂの長辺方向に沿う方向の長さである。また、保持テープｔ１，ｔ２は、第１平面１４ａ、タブ側端面１４ｃ、第２平面１４ｂに掛かる方向（幅に直交する方向）に沿う方向の長さは、同一若しくはほぼ同一である。
【００４３】
なお、タブ側端面１４ｃには、圧力開放弁９０に対向する弁対向領域ｄ４も投影できる。この実施形態においては、弁対向領域ｄ４に重なる部分にも保持テープが貼り付けられていない。つまり、弁対向領域ｄ４が投影されるタブ側端面１４ｃの部分は、露出した状態である。このため、例えば異常時に発生したガスは、保持テープによって流通路が遮断されることなく、連通孔１０３を介して圧力開放弁９０へ流れる。
【００４４】
次に、この実施形態の二次電池１０の作用を説明する。
二次電池１０を製造する際には、蓋１３に固定された正極端子１５並びに負極端子１６に接合された電極組立体１４を、ケース本体１２に挿入し、その挿入後にケース本体１２と蓋１３とを、溶接によって接合する。この実施形態の二次電池１０は、ケース本体１２と蓋１３との接合部Ｓの近くに電極組立体１４のタブ側端面１４ｃが位置している。このため、ケース本体１２と蓋１３との接合時などに異物が発生し、当該異物がケース１１内に残存している場合には、例えば振動などによって異物がタブ側端面１４ｃに落下する可能性がある。
【００４５】
しかしながら、この実施形態の二次電池１０では、タブ側端面１４ｃに対向して絶縁カバー１００が配置されているとともに、タブ側端面１４ｃに投影されるカバー対向領域ｄ１と重ならない部分に保持テープｔ１，ｔ２が位置している。つまり、タブ側端面１４ｃは、図５に示すように、絶縁カバー１００や保持テープｔ１，ｔ２により、タブ側端面１４ｃを平面視した時に露出している部分が少ない。これにより、仮にケース１１内に残存する異物が落下したとしても、その異物は接合部Ｓ側に位置する絶縁カバー１００や保持テープｔ１，ｔ２に向けて落下することになる。
【００４６】
したがって、本実施形態によれば、以下に示す効果を得ることができる。
（１）ケース１１の異物が絶縁カバー１００や保持テープｔ１，ｔ２に落下することで、電極組立体１４のタブ側端面１４ｃに直接、落下することが抑制される。したがって、電極組立体１４に異物が入り込むことを抑制できる。
【００４７】
（２）保持テープｔ１，ｔ２は、正極端子１５や負極端子１６の直下に位置している。このため、正極端子１５や負極端子１６と電極組立体１４との間にある隙間などからの異物の入り込みを抑制できる。
【００４８】
（３）保持テープｔ１，ｔ２を電極組立体１４のタブ側端面１４ｃの端に位置していることにより、異物の入り込みを抑制しつつ、電極組立体１４を良好に保持することができる。これにより、電極組立体１４を構成する電極の短絡などを回避することができる。
【００４９】
（４）保持テープｔ１，ｔ２は、絶縁カバー１００と重ならない部分に位置している。保持テープｔ１，ｔ２は、ある程度の幅を有するものである。このため、絶縁カバー１００と保持テープｔ１，ｔ２の重なりをなくすことで、タブ側端面１４ｃにおいて露出している部分を、保持テープｔ１，ｔ２の幅分を利用して効率的に覆うことができる。
【００５０】
なお、上記実施形態は以下のように変更してもよい。
○  電極組立体１４のタブ側端面１４ｃにおいて保持テープｔ１，ｔ２の配置（個数を含む）は変更しても良い。保持テープｔ１，ｔ２は、カバー対向領域ｄ１に重ならない部分に位置していれば良い。また、この場合、弁対向領域ｄ４にも保持テープが位置していない方が良い。
【００５１】
○  また、保持テープｔ１，ｔ２は、その全体が端子対向領域ｄ２，ｄ３に重なっていなくても良い。すなわち、保持テープｔ１，ｔ２の一部が端子対向領域ｄ２，ｄ３に重なっていれば良い。
【００５２】
○  また、保持テープｔ１，ｔ２は、タブ側端面１４ｃの端に対して間隔をおいて貼り付けても良い。
○  絶縁カバー１００の構成を変更しても良い。実施形態では、正極導電部材４０と負極導電部材６０の両方を覆うように一体化された構成であるが、正極導電部材４０を覆う絶縁カバー、並びに負極導電部材６０を覆う絶縁カバーというように分離した構成でも良い。
【００５３】
○  電極組立体１４において側面１４ｅ，１４ｆ側の保持テープｔ３〜ｔ６の配置（個数を含む）は変更しても良い。また、底面１４ｄ側に保持テープを貼り付けても良い。
○  また、電流遮断部材８０の具体的な構成は変更しても良い。
【００５４】
○  電流遮断部材８０は、電極端子に一体化されたものでなくても良い。例えば、負極第１接合部６１と負極第２接合部６２との間に位置して通電経路を構成し、ガスの圧力を受けることで通電経路を遮断しても良い。
【００５５】
○  電流遮断部材８０を設ける一方の極性の電極端子を正極端子１５としても良い。このとき、一方の極性の電極端子である正極端子１５と接続される導電部材は正極導電部材４０となる。
【００５６】
○  圧力開放弁９０の具体的な構成は変更しても良い。例えば、弁体９１の形状や開裂溝９２の形状を変更しても良い。
○  電極組立体１４の具体的な構成は変更しても良い。例えば、正極電極２１、負極電極２２、セパレータ２３の形状を変更しても良い。例えば、正面視正方形でも良い。
【００５７】
○  二次電池１０は、作動部材として電流遮断部材８０若しくは圧力開放弁９０のいずれか一方を備えていても良い。
○  実施形態は、例えばキャパシタなど、二次電池以外の蓄電装置にも適用可能である。
【００５８】
○  実施形態は、電流遮断部材８０を搭載していない二次電池１０に具体化しても良い。
○  二次電池１０は、車載用に限らず、住宅などに用いる定置用でも良い。
【００５９】
○  積層型の二次電池１０に限らず、実施形態と同様の条件を満たすように構成された捲回型の二次電池に適用しても良い。捲回型の二次電池は、帯状の正極電極と帯状の負極電極を捲回して層状に積層した構造である。そして、上記条件は、ケース本体１２と蓋１３との接合部Ｓ側に、正極タブ３１並びに負極タブ３２とそれぞれ接続される正極導電部材４０や負極導電部材６０が位置し、これらの正極導電部材４０や負極導電部材６０を覆う絶縁カバー１００が位置していることである。
【符号の説明】
【００６０】
１０…蓄電装置としての二次電池、１１…ケース、１２…ケース本体、１３…蓋、１４…電極組立体、１４ｃ…電極組立体の面としてのタブ側端面、１５…電極端子としての正極端子、１６…電極端子としての負極端子、３１…正極タブ、３２…負極タブ、４０…導電部材としての正極導電部材、６０…導電部材としての負極導電部材、１００…絶縁カバー、ｄ１…カバー対向領域、ｄ２，ｄ３…端子対向領域、ｔ１〜ｔ６…保持テープ、Ｓ…接合部、ｔ１ａ，ｔ１ｂ，ｔ２ａ，ｔ２ｂ…端部、１０１ａ，１０１ｂ…端部。
【図１】
0006413757.tif 000002
【図２】
0006413757.tif 000003
【図３】
0006413757.tif 000004
【図４】
0006413757.tif 000005
【図５】
0006413757.tif 000006